(57)【要約】【課題】電波状態が良好でない無線端末が存在する場合に、ネットワークシステム全体としてスループットを向上させる【解決手段】AP制御装置１２は、イーサネットフレームの送受信を行なう手段である通信部２７と、パケットを蓄積する手段であるパケット蓄積部２５と、パケット蓄積部２５に蓄積されているパケットを選択して通信部２７に送信し、受信したパケットをパケット蓄積部２５に蓄積するか否かを決定するとともに、AP１３，１７，２０から通知された端末１５，１６，１９毎の電波状態に応じて送受信量を制御する手段である送信制御部２６とを備える。【選択図】  図１
2006115156.tif 000002
【特許請求の範囲】
【請求項１】
端末を収容するアクセスポイントを通信ネットワークに接続させるアクセスポイント制御装置であって、
前記アクセスポイントおよび前記通信ネットワークとイーサネットフレームの送受信を行なう通信手段と、
前記通信手段が送受信するパケットを蓄積するパケット蓄積手段と、
受信したパケットを前記パケット蓄積手段に蓄積するか否かを決定するとともに、前記アクセスポイントから通知された各端末毎の電波状態に応じて送受信量を制御し、前記パケット蓄積手段に蓄積されているパケットを選択して前記通信手段に送信する送信制御手段と、
を備えるアクセスポイント制御装置。
【請求項２】
複数の端末とIEEE802.11規格のパケットを送受信する無線通信手段と、
アクセスポイント制御装置とイーサネットフレームの送受信を行なう有線通信手段と、
各端末毎のパケットを蓄積するパケット蓄積手段と、
前記パケット蓄積手段に蓄積されているパケットを選択して前記無線通信手段に送信するとともに、前記端末への再送回数が設定された閾値を超えると前記端末の電波状態を示す情報を生成する無線送信制御手段と、
前記無線送信制御手段から通知された前記端末の電波状態を示す情報に対応するパケットを生成し前記有線通信手段に転送する電波状態通知手段と、
を備えるアクセスポイント。
【請求項３】
請求項１記載のアクセスポイント制御装置と、前記アクセスポイント制御装置と有線通信を行なう請求項２記載のアクセスポイントとを備える無線LANシステム。
【請求項４】
複数の端末を収容するアクセスポイントをレイヤ２ネットワークを介して通信ネットワークに接続させるアクセスポイント制御装置であって、
前記レイヤ２ネットワークおよび前記通信ネットワークとイーサネットフレームの送受信を行なう通信手段と、
前記通信手段が送受信するパケットを蓄積するパケット蓄積手段と、
受信したパケットを前記パケット蓄積手段に蓄積するか否かを決定するとともに、前記アクセスポイントから通知された各端末毎の電波状態に応じて送受信量を制御し、前記パケット蓄積手段に蓄積されているパケットを選択して前記通信手段に送信する送信制御手段と、
を備えるアクセスポイント制御装置。
【請求項５】
複数の端末とIEEE802.11規格のパケットを送受信する無線通信手段と、
レイヤ２ネットワークを介してアクセスポイント制御装置とイーサネットフレームの送受信を行なう有線通信手段と、
パケットを蓄積するパケット蓄積手段と、
前記パケット蓄積手段に蓄積されているパケットを選択して前記無線通信手段に送信するとともに、前記端末への再送回数が設定された閾値を超えると前記端末の電波状態を示す情報を生成する無線送信制御手段と、
前記無線送信制御手段から通知された前記端末の電波状態を示す情報に対応するパケットを生成し前記有線通信手段に転送する電波状態通知手段と、
を備えるアクセスポイント。
【請求項６】
請求項４記載のアクセスポイント制御装置と、前記レイヤ２ネットワークを介して前記アクセスポイント制御装置と有線通信を行なう請求項５記載のアクセスポイントとを備える無線LANシステム。
【請求項７】
複数の端末を収容するアクセスポイントをレイヤ２ネットワークを介して通信ネットワークに接続させるアクセスポイント制御装置であって、
前記レイヤ２ネットワークおよび前記通信ネットワークとイーサネットフレームの送受信を行なう通信手段と、
前記通信手段が送受信するパケットを蓄積するパケット蓄積手段と、
受信したパケットを前記パケット蓄積手段に蓄積するか否かを決定するとともに、前記アクセスポイントから通知された前記アクセスポイント毎の電波状態に応じて送受信量を制御し、前記パケット蓄積手段に蓄積されているパケットを選択して前記通信手段に送信する送信制御手段と、
を備えるアクセスポイント制御装置。
【請求項８】
複数の端末とIEEE802.11規格のパケットを送受信する無線通信手段と、
レイヤ２ネットワークを介してアクセスポイント制御装置とイーサネットフレームの送受信を行なう有線通信手段と、
パケットを蓄積するパケット蓄積手段と、
前記パケット蓄積手段に蓄積されているパケットを選択して前記無線通信手段に送信するとともに、前記端末への再送回数が設定された閾値を超えると前記アクセスポイントの電波状態を示す情報を生成する無線送信制御手段と、
前記無線送信制御手段から通知された前記アクセスポイントの電波状態を示す情報に対応するパケットを生成し前記有線通信手段に転送する電波状態通知手段と、
を備えるアクセスポイント。
【請求項９】
請求項７記載のアクセスポイント制御装置と、前記レイヤ２ネットワークを介して前記アクセスポイント制御装置と有線通信を行なう請求項８記載のアクセスポイントとを備える無線LANシステム。
【発明の詳細な説明】
【技術分野】
【０００１】
本発明は、アクセスポイント、アクセスポイント制御装置および無線LANシステムに関する。
【背景技術】
【０００２】
従来のアクセスポイント（以下AP）を個別に設定して設置していく方法から、複数のAPと接続したAP制御装置により、APの自動設定、障害管理、統計情報の収集などを一括して行なうことが検討されている。それらの検討は、国際標準化団体であるIETF（Internet Engineering Task Force）やIEEE802.11ワーキンググループなどで、標準化の策定が進められている。
【０００３】
図８は、通信ネットワーク８４に接続されるAP制御装置８３と、AP制御装置８３に制御されるAP８２と、AP８２と無線通信を行なうMT端末８１とからなるネットワークシステムを示す。この場合、AP８２で無線LANフレーム（IEEE802.11）とEthernetフレームのブリッジ処理を行なわずに、上位のAP制御装置８３で行なうことや、認証のポートの開閉箇所もAP８２からAP制御装置８３に移したアーキテクチャが検討されている。
【０００４】
そのようなアーキテクチャにおいて、IETFのCAPWAP（Control and Provisioning of Wireless Access Points）ワーキンググループにおいてIETFドラフトdraft-ohara-capwap-lwapp-00.txt「Light Weight Access Point Protocol」"light weight access protocol"（以後LWAPP）が提案されている。LWAPPではAP制御装置８３がAP８２に対して、設定情報の自動設定、障害管理、統計情報収集、暗号鍵情報の設定を行っている。
【０００５】
図９は、インターネット等のバックボーンネットワークと複数のローカルエリアネットワーク（ＬＡＮ）の間に設置され、ＬＡＮに接続する複数の通信端末の通信トラヒックを保証するための従来の帯域制御装置１０５を示す。
【０００６】
この帯域制御装置１０５は、入力されたパケット信号１０１を用いて、複数のLAN毎に輻輳を検出する輻輳検出手段１０６と、輻輳中のLANに接続する端末が、バックボーンネットワークを介して行なうパケット通信のトラヒックの量を制御するトラヒック制御手段１０７とを備える。この帯域制御装置１０５は、無線LAN回線が輻輳したときにのみ動作し、１台のみで複数のLANに対するトラヒック制御を行なうことができる。
【０００７】
すなわち、複数のLANを収容する帯域制御装置１０５は、あるLANに関して設定された閾値を超えたトラヒックを検出した場合にトラヒック量を制御する。この方法によれば、LAN毎にトラヒック量を検出するので、LAN単位の輻輳を検知しつつ、システムとしてスループットを高く保つことが可能になる（例えば、特許文献１参照）。
【特許文献１】特許第３４７０６８０号明細書
【発明の開示】
【発明が解決しようとする課題】
【０００８】
しかしながら、上記従来の帯域制御装置１０５及びトラヒック制御方法において、LANがIEEE802.11で規定される無線LANである場合は、ある無線LAN端末（以下端末）が引き起こした輻輳を検知してトラヒックの量を制御することを仮定した場合に、無線の電波状態が良好でない端末に対して帯域を確保してしまうことが考えられる。
【０００９】
一方、LWAPPによれば、AP８２の自動設定、障害管理、統計情報の収集などをAP制御装置８３で一括して行なうことが可能になる。また、AP８２、端末８１間に関してはEDCA(Enhanced Distributed Channel Access)やHCCA(HCF Controlled Channel Access)等、IEEE802.11e TGe(タスクグループe)において無線区間のQoS制御がいくつか検討されている。
【００１０】
しかしながら、電波状態の良好でない端末が存在する場合に、電波状態の良好でない端末にも電波状態の良好な端末と同様にフレームの送信を行なうので、システム全体としてのスループットが低下するという課題がある。
【００１１】
また、上記CAPWAPで提案されているLWAPPにおいては帯域制御や優先制御は提供されていないため、AP制御装置８３にて輻輳が発生するような構成においても、電波状態の良好でない端末が存在するにも関わらず、電波状態の良好な端末のパケットが廃棄されてシステム全体としてスループットが低下するという課題が存在する。
【００１２】
図１０は、AP制御装置８３で輻輳するケースについての説明図である。図に示すように、AP1（１１３）がバッファ溢れを起こしてイーサネットのフロー制御であるpauseフレームをAP制御装置８３に送信すると、AP制御装置８３が輻輳する可能性があり、輻輳が発生すると、バッファあふれしたフレームは廃棄される。
【００１３】
例えば、電波状態が良好でない端末MT1（１１６）が存在する場合は、AP制御装置８３が端末MT1（１１６）に100個のパケットを送信しても、AP1（１１３）と端末MT1（１１６）間で再送を繰り返して80個のパケットが廃棄される場合がある。再送が増加するとAP1（１１３）の空きバッファが減少するため、AP制御装置８３にpauseフレームを送信する。それによってAP制御装置８３が輻輳を起こして電波状態が良好な端末MT2（１１５）宛のフレームも端末MT1（１１６）宛のフレームと同様に廃棄してしまう。
【００１４】
一方、AP1（１１３）で輻輳が発生するような構成においても、同様に電波状態の良好でない端末が存在するにも関わらず、電波状態の良好な端末のパケットが廃棄されてシステム全体としてスループットが低下するという課題が存在する。
【００１５】
図１１は、AP1（１１３）で輻輳するケースについての説明図である。この場合は、AP1（１１３）がバッファ溢れを起こすと、pauseフレームなどのフロー制御は行わずにAP1（１１３）でパケットを廃棄する場合が考えられる。その場合は、AP制御装置８３で発生する問題がAP1（１１３）で発生することになる。
【００１６】
本発明は、通信ネットワークに接続されるアクセスポイント制御装置と、アクセスポイント制御装置に制御されるアクセスポイントと、アクセスポイントと無線通信を行なう無線端末とからなるネットワークシステムにおいて、電波状態が良好でない無線端末が存在する場合に、ネットワークシステム全体としてスループットを向上させるアクセスポイント、アクセスポイント制御装置および無線LANシステムを提供することを目的としている。
【課題を解決するための手段】
【００１７】
本発明のアクセスポイント制御装置は、端末を収容するアクセスポイントを通信ネットワークに接続させるアクセスポイント制御装置であって、前記アクセスポイントおよび前記通信ネットワークと、イーサネットフレームの送受信を行なう通信手段と、前記通信手段が送受信するパケットを蓄積するパケット蓄積手段と、受信したパケットを前記パケット蓄積手段に蓄積するか否かを決定するとともに、前記アクセスポイントから通知された前記端末毎の電波状態に応じて送受信量を制御し、前記パケット蓄積手段に蓄積されているパケットを選択して前記通信手段に送信する送信制御手段とを備える。
【００１８】
上記構成によれば、端末毎の電波状態に応じて送受信量を制御するので、電波状態の良好でない端末が存在する場合でも、電波状態の良好な端末と優先的に通信することができ、ネットワークシステム全体としてスループットを向上させることができる。
【００１９】
また、本発明のアクセスポイントは、複数の端末とIEEE802.11規格のパケットを送受信する無線通信手段と、アクセスポイント制御装置とイーサネットフレームの送受信を行なう有線通信手段と、前記端末単位にパケットを蓄積するパケット蓄積手段と、前記パケット蓄積手段に蓄積されているパケットを選択して前記無線通信手段に送信するとともに、前記端末への再送回数が設定された閾値を超えると前記端末の電波状態を示す情報を生成する無線送信制御手段と、前記無線送信制御手段から通知された前記端末の電波状態を示す情報に対応するパケットを生成し前記有線通信手段に転送する電波状態通知手段とを備える。
【００２０】
上記構成によれば、端末毎の電波状態に応じて送受信量を制御するので、電波状態の良好でない端末が存在する場合でも、電波状態の良好な端末と優先的に通信することができ、ネットワークシステム全体としてスループットを向上させることができる。
【００２１】
また、本発明の無線LANシステムは、上記のアクセスポイント制御装置と、前記アクセスポイント制御装置と有線通信を行なう上記のアクセスポイントとを備える。
【００２２】
上記構成によれば、端末毎の電波状態に応じて送受信量を制御するので、電波状態の良好でない端末が存在する場合でも、電波状態の良好な端末と優先的に通信することができ、ネットワークシステム全体としてスループットを向上させることができる。
【００２３】
また、本発明のアクセスポイント制御装置は、複数の端末を収容するアクセスポイントをレイヤ２ネットワークを介して通信ネットワークに接続させるアクセスポイント制御装置であって、前記レイヤ２ネットワークおよび前記通信ネットワークと、イーサネットフレームの送受信を行なう通信手段と、前記通信手段が送受信するパケットを蓄積するパケット蓄積手段と、受信したパケットを前記パケット蓄積手段に蓄積するか否かを決定するとともに、前記アクセスポイントから通知された前記端末毎の電波状態に応じて送受信量を制御し、前記パケット蓄積手段に蓄積されているパケットを選択して前記通信手段に送信する送信制御手段とを備える。
【００２４】
上記構成によれば、端末毎の電波状態に応じて送受信量を制御するので、電波状態の良好でない端末が存在する場合でも、電波状態の良好な端末と優先的に通信することができ、ネットワークシステム全体としてスループットを向上させることができる。
【００２５】
また、本発明のアクセスポイントは、複数の端末とIEEE802.11規格のパケットを送受信する無線通信手段と、レイヤ２ネットワークを介してアクセスポイント制御装置とイーサネットフレームの送受信を行なう有線通信手段と、パケットを蓄積するパケット蓄積手段と、前記パケット蓄積手段に蓄積されているパケットを選択して前記無線通信手段に送信するとともに、前記端末への再送回数が設定された閾値を超えると前記端末の電波状態を示す情報を生成する無線送信制御手段と、前記無線送信制御手段から通知された前記端末の電波状態を示す情報に対応するパケットを生成し前記有線通信手段に転送する電波状態通知手段とを備える。
【００２６】
上記構成によれば、端末毎の電波状態に応じて送受信量を制御するので、電波状態の良好でない端末が存在する場合でも、電波状態の良好な端末と優先的に通信することができ、ネットワークシステム全体としてスループットを向上させることができる。
【００２７】
また、本発明の無線LANシステムは、上記のアクセスポイント制御装置と、前記レイヤ２ネットワークを介して前記アクセスポイント制御装置と有線通信を行なう上記のアクセスポイントとを備える。
【００２８】
上記構成によれば、端末毎の電波状態に応じて送受信量を制御するので、電波状態の良好でない端末が存在する場合でも、電波状態の良好な端末と優先的に通信することができ、ネットワークシステム全体としてスループットを向上させることができる。
【００２９】
また、本発明のアクセスポイント制御装置は、複数の端末を収容するアクセスポイントをレイヤ２ネットワークを介して通信ネットワークに接続させるアクセスポイント制御装置であって、前記レイヤ２ネットワークおよび前記通信ネットワークと、イーサネットフレームの送受信を行なう通信手段と、前記通信手段が送受信するパケットを蓄積するパケット蓄積手段と、受信したパケットを前記パケット蓄積手段に蓄積するか否かを決定するとともに、前記アクセスポイントから通知された前記アクセスポイント毎の電波状態に応じて送受信量を制御し、前記パケット蓄積手段に蓄積されているパケットを選択して前記通信手段に送信する送信制御手段とを備える。
【００３０】
上記構成によれば、アクセスポイント毎の電波状態に応じて送受信量を制御するので、電波状態の良好でない端末が存在する場合でも、電波状態の良好な端末と優先的に通信することができ、ネットワークシステム全体としてスループットを向上させることができる。
【００３１】
また、本発明のアクセスポイントは、複数の端末とIEEE802.11規格のパケットを送受信する無線通信手段と、レイヤ２ネットワークを介してアクセスポイント制御装置とイーサネットフレームの送受信を行なう有線通信手段と、パケットを蓄積するパケット蓄積手段と、前記パケット蓄積手段に蓄積されているパケットを選択して前記無線通信手段に送信するとともに、前記端末への再送回数が設定された閾値を超えると前記アクセスポイントの電波状態を示す情報を生成する無線送信制御手段と、前記無線送信制御手段から通知された前記アクセスポイントの電波状態を示す情報に対応するパケットを生成し前記有線通信手段に転送する電波状態通知手段とを備える。
【００３２】
上記構成によれば、アクセスポイント毎の電波状態に応じて送受信量を制御するので、電波状態の良好でない端末が存在する場合でも、電波状態の良好な端末と優先的に通信することができ、ネットワークシステム全体としてスループットを向上させることができる。
【００３３】
また、本発明の無線LANシステムは、上記のアクセスポイント制御装置と、前記レイヤ２ネットワークを介して前記アクセスポイント制御装置と有線通信を行なう上記のアクセスポイントとを備える。
【００３４】
上記構成によれば、アクセスポイント毎の電波状態に応じて送受信量を制御するので、電波状態の良好でない端末が存在する場合でも、電波状態の良好な端末と優先的に通信することができ、ネットワークシステム全体としてスループットを向上させることができる。
【発明の効果】
【００３５】
本発明によれば、端末毎あるいはアクセスポイント毎の電波状態に応じて送受信量を制御するので、電波状態の良好でない端末が存在する場合でも、電波状態の良好な端末と優先的に通信することができ、ネットワークシステム全体としてスループットを向上させることができる。
【００３６】
また、電波状態が良好でない端末に送信する代わりに、電波状態が良好な端末に送信するので、ネットワークシステム全体としてスループットを向上させることができる。
【発明を実施するための最良の形態】
【００３７】
（実施の形態１）
図１は、本発明の第１の実施形態を説明するために、通信ネットワーク１１に接続されるAP制御装置１２と、AP制御装置１２に制御されるAP１３，１７，２０と、AP１３，１７に収容される端末MT１５，１６，１９とからなるネットワークシステムを示す。
【００３８】
図ではAP１３，１７，２０とAP制御装置１２が物理的に直接接続されているが、ネットワークを介して接続される場合も同様の効果が得られる。またAP１３，１７，２０とAP制御装置１２の間が従来例のLWAPPのようなプロトコルで通信している場合は、上記ネットワークはスイッチングハブ、ハブで構成されるレイヤ2のネットワークである。
【００３９】
図２は、本実施形態におけるAP制御装置１２の概略構成を示す。AP制御装置１２は、イーサネットフレームの送受信を行なう手段である通信部２７と、パケットを蓄積する手段であるパケット蓄積部２５と、パケット蓄積部２５に蓄積されているパケットを選択して通信部２７に送信し、受信したパケットをパケット蓄積部２５に蓄積するか否かを決定するとともに、AP１３，１７，２０から通知された端末１５，１６，１９毎の電波状態に応じて送受信量を制御する手段である送信制御部２６とを備える。
【００４０】
図３は、本実施形態におけるAP１３（AP１７，２０も同様）の概略構成を示す。AP１３は、IEEE802.11規格のパケットを送受信する手段である無線通信部３５と、イーサネットフレームの送受信を行なう手段である有線通信部３１と、端末１５，１６，１９単位にパケットを蓄積する手段であるパケット蓄積部３２と、パケット蓄積部３２に蓄積されているパケットを選択して無線通信部３５に送信する手段である無線送信制御部３３と、無線送信制御部３３から通知された端末１５，１６，１９の電波状態を通知する為のパケットを生成し有線通信部３１に転送する手段である電波状態通知部３４とを備える。
【００４１】
この場合、無線送信制御部３３は、インフラストラクチャモードかつDCFで通信を行ない、送信した下りフレームに対して宛先の端末からACKを受信できない場合は再送制御を行なう。再送回数が設定された閾値を超えると電波状態通知部３４に端末の電波状態を通知する。
【００４２】
図４は、本実施形態において、AP制御装置１２が、複数の端末MT1（１６），MT2（１５）と通信するAP1（１３）に対して優先制御を行なう場合のシーケンス図を示す。具体的な動作について図４および図１を参照して説明する。
【００４３】
(Ａ)MT1（端末１６）およびMT2（端末１５）は、AP1（１３）との無線通信を介して通信ネットワーク１１上の図示しないサーバと通信を行っており、MT1（端末１６）は、サーバからストリーミングサービス（ユニキャストのUDP）を受けている状況を考える。
【００４４】
(Ｂ)この状況で、図１に示すように、MT1（端末１６）が移動して電波状態が良好でない場所に移動したとする。
【００４５】
(Ｃ)サーバが送信するストリーミングデータは、AP1（１３）を介してMT1（端末１６）に対して送信されるが、電波状態が良好でないために連続的に送信されてくるUDPのデータフレームに対してACKを返せない回数が増加する（ステップＳ４０１）。
【００４６】
(Ｄ)AP1（１３）の無線送信制御部３３は、再送回数を数えていて、予め設定されている回数（Ｎ）を超えると電波状態通知部３４に通知する（ステップＳ４０２）。
【００４７】
(Ｅ)AP1（１３）の電波状態通知部３４は、MT1（端末１６）の状態を表すパケットを生成して有線通信部３１に送信する。このときCAPWAPで提案されているようなAP1（１３）とAP制御装置１２間の特別なフォーマットに従ったパケットでもよい。
【００４８】
(Ｆ)有線通信部３１は(Ｅ)で生成されたパケットを送信する。
【００４９】
(Ｇ)AP制御装置１２の通信部２７は(Ｅ)で生成されたパケットを受信する。
【００５０】
(Ｈ)通信部２７はMT1（端末１６）の状態を表すパケットを受信したら送信制御部２６に該パケットを送信する。
【００５１】
(Ｉ)送信制御部２６は受信したパケットからMT1（端末１６）の電波状態が良好でないことを知る。
【００５２】
(Ｊ)送信制御部２６は、そのときから一定時間の間、MT1（端末１６）の状態を記憶する。
【００５３】
(Ｋ)一定時間の間に、MT1（端末１６）に向かうストリーミングサービス用のユニキャストフレームを廃棄する（優先制御：ステップＳ４０３）。
【００５４】
このように本実施形態によれば、AP1（１３）を介して通信を行なうMT2（端末１５）宛の下りフレームがMT1（端末１６）宛の下りフレームによって妨害を受けることなく、良好に通信でき（ステップＳ４０４，Ｓ４０５）、MT1（端末１６）宛の下りフレームを送信する場合と比べてシステムとしてのスループットを向上させることができる。
【００５５】
なお、(Ａ)はユニキャストのUDPを例に説明しているが、TCPのフレームでも同様の効果が得られる。ただしTCPはTCP層でのフロー制御が行われるため、UDPフレームと比較すると効果が少ないと思われる。
【００５６】
また、(Ｋ)は、AP1（１３）とAP制御装置１２の間でフロー制御などが行われている（AP1（１３）ではバッファあふれを起こさない）場合は、一定時間の間AP制御装置１２のキューが輻輳したときだけ廃棄しても同様の効果が得られる。
【００５７】
また、AP制御装置１２のパケット蓄積部２５が端末別にキューを持っていて優先制御を行なう機構を備えるような場合には、一定時間の間MT1（端末１６）宛キューに蓄積されているパケットの送信優先度を下げることによっても同様の効果が得られる。
【００５８】
（実施の形態２）
図５は、本発明の第２の実施形態を説明するために、通信ネットワーク１１に接続されるAP制御装置１２と、AP制御装置１２の一つの物理ポートからレイヤ2ネットワーク２２を介してAP制御装置１２に制御される複数のAPを少なくとも含むAP１３，１７，２０と、AP１３，１７に収容される端末１５，１６，１９とからなるネットワークシステムを示す。
【００５９】
図６は、AP制御装置１２が、複数の端末MT1（１６），MT3（１９）と通信するAP1（１３），AP2（１７）に対して端末単位で優先制御を行なう場合のシーケンス図を示す。具体的な動作について図６および図５を参照して説明する。
【００６０】
(Ａ)MT1（端末１６）はAP1（１３）との無線通信を介して、MT3（端末１９）はAP2（１７）との無線通信を介して通信ネットワーク１１上の図示しないサーバと通信を行ない、MT1（端末１６）はサーバからストリーミングサービス（ユニキャストのUDP）を受けている状況を考える。
【００６１】
(Ｂ)この状況で、図５に示すように、MT1（端末１６）が移動して電波状態が良好でない場所に移動したとする。
【００６２】
(Ｃ)この場合、サーバが送信するストリーミングデータはAP1（１３）を介してMT1（端末１６）に対して送信されるが、電波状態が良好でないために連続的に送信されてくるUDPのデータフレームに対してACKを返せない回数が増加する（ステップＳ６０１）。
【００６３】
(Ｄ)AP1（１３）の無線送信制御部３３は、再送回数を数えていて、予め設定されている回数（Ｎ）を超えると電波状態通知部３４に通知する（ステップＳ６０２）。
【００６４】
(Ｅ)AP1（１３）の電波状態通知部３４は、MT1（端末１６）の状態を表すパケットを生成して有線通信部３１に送信する。このときCAPWAPで提案されているようなAP1（１３）とAP制御装置１２間の特別なフォーマットに従ったパケットでもよい。
【００６５】
(Ｆ)有線通信部３１は(Ｅ)で生成されたパケットを送信する。
【００６６】
(Ｇ)AP制御装置１２の通信部２７は(Ｅ)で生成されたパケットを受信する。
【００６７】
(Ｈ)通信部２７はMT1（端末１６）の状態を表すパケットを受信したら送信制御部２６に該パケットを送信する。
【００６８】
(Ｉ)送信制御部２６は受信したパケットからMT1（端末１６）の電波状態が良好でないことを知る。
【００６９】
(Ｊ)送信制御部２６は、そのときから一定時間の間、MT1（端末１６）の状態を記憶する。
【００７０】
(Ｋ)一定時間の間に、MT1（端末１６）に向かうストリーミングサービス用のユニキャストフレームを廃棄する（優先制御：ステップＳ６０３）。
【００７１】
このように本実施形態によれば、AP2（１７）を介して通信を行なうMT3（端末１９）宛の下りフレーム（ステップＳ６０４，Ｓ６０５）がMT1（端末１６）宛の下りフレームによって妨害を受けることなく、良好に通信でき、MT1（端末１６）宛の下りフレームを送信する場合と比べてシステムとしてのスループットを向上させることができる。
【００７２】
なお、(Ａ)はユニキャストのUDPを例に説明しているが、TCPのフレームでも同様の効果が得られる。ただしTCPはTCP層でのフロー制御が行われるため、UDPフレームと比較すると効果が少ないと思われる。
【００７３】
また、(Ｋ)は、AP1（１３）とAP制御装置１２の間でフロー制御などが行われている場合は、一定時間の間AP制御装置１２のキューが輻輳したときだけ廃棄しても同様の効果が得られる。
【００７４】
また、AP制御装置１２のパケット蓄積部２５が端末別にキューを持っていて優先制御を行なう機構を備えるような場合には、一定時間の間MT1（端末１６）宛キューに蓄積されているパケットの送信優先度を下げることによっても同様の効果が得られる。
【００７５】
（実施の形態３）
次に、実施の形態３について説明する。実施の形態３のシステム構成は、図５に示した実施の形態２とシステム構成と同じである。すなわち、通信ネットワーク１１に接続されるAP制御装置１２と、AP制御装置１２の一つの物理ポートからレイヤ2ネットワーク２２を介してAP制御装置１２に制御される複数のAPを少なくとも含むAP１３，１７，２０と、AP１３，１７と無線通信を行なう端末１５，１６，１９とからなるネットワークシステムである。
【００７６】
本実施形態において、AP制御装置１２は、図２に示すように、イーサネットフレームの送受信を行なう手段である通信部２７と、パケットを蓄積する手段であるパケット蓄積部２５と、パケット蓄積部２５に蓄積されているパケットを選択して通信部２７に送信し、受信したパケットをパケット蓄積部２５に蓄積するか否かを決定するとともに、AP１３，１７，２０から通知されたAP１３，１７，２０の電波状態に応じて送受信量を制御する手段である送信制御部２６とを備える。
【００７７】
また、本実施形態において、AP１３（１７，２０も同様）は、図３に示すように、IEEE802.11規格のパケットを送受信する手段である無線通信部３５と、イーサネットフレームの送受信を行なう手段である有線通信部３１と、端末単位にパケットを蓄積する手段であるパケット蓄積部３２と、パケット蓄積部３２に蓄積されているパケットを選択して無線通信部３５に送信する手段である無線送信制御部３３と、無線送信制御部３３から通知されたAP１３の電波状態を通知する為のパケットを生成し有線通信部３１に転送する手段である電波状態通知部３４とを備える。
【００７８】
この場合、無線送信制御部３３は、インフラストラクチャモードかつDCFで通信を行ない、送信した下りフレームに対して宛先の端末からACKを受信できない場合は再送制御を行なう。また、再送回数が設定された閾値を超えると電波状態通知部３４にAP１３の電波状態を通知する。
【００７９】
図７は、本実施形態において、AP制御装置１２が、複数の端末MT1（１６），MT2（１５），MT3（１９）と通信するAP1（１３），AP2（１７）に対してAP単位で優先制御を行なう場合のシーケンス図を示す。具体的な動作について図７および図５を参照して説明する。
【００８０】
(Ａ)MT1（端末１６）およびMT2（端末１５）は、AP1（１３）との無線通信を介して、MT3（端末１９）はAP2（１７）との無線通信を介して通信ネットワーク１１上の図示しないサーバと通信を行っており、MT1（端末１６）はサーバからストリーミングサービス(ユニキャストのUDP)を受けている状況を考える。
【００８１】
(Ｂ)この状況で、図５に示すように、MT1（端末１６）が移動して電波状態が良好でない場所に移動したとする。
【００８２】
(Ｃ)この場合に、サーバが送信するストリーミングデータがAP1（１３）を介してMT1（端末１６）に対して送信されるが、電波状態が良好でないために連続的に送信されてくるUDPのデータフレームに対してACKを返せない回数が増加する（ステップＳ７０１）。
【００８３】
(Ｄ)AP1（１３）の無線送信制御部３３は、端末単位ではなくAP単位で再送回数を数えていて、予め設定されている回数（Ｎ）を超えると電波状態通知部３４に通知する（ステップＳ７０２）。
【００８４】
(Ｅ)AP1（１３）の電波状態通知部３４は、AP1（１３）の状態を表すパケットを生成して有線通信部３１に送信する。このときCAPWAPで提案されているようなAP1（１３）とAP制御装置１２間の特別なフォーマットに従ったパケットでもよい。
【００８５】
(Ｆ)有線通信部３１は(Ｅ)で生成されたパケットを送信する。
【００８６】
(Ｇ)AP制御装置１２の通信部２７は(Ｅ)で生成されたパケットを受信する。
【００８７】
(Ｈ)通信部２７はAP1（１３）の状態を表すパケットを受信したら送信制御部２６に該パケットを送信する。
【００８８】
(Ｉ)送信制御部２６は受信したパケットからAP1（１３）の電波状態が良好でないことを知る。
【００８９】
(Ｊ)送信制御部２６は、そのときから一定時間の間、AP1（１３）の状態を記憶する。
【００９０】
(Ｋ)一定時間の間に、AP1（１３）に向かうストリーミングサービス用のユニキャストフレームを廃棄する（優先制御：ステップＳ７０３）。
【００９１】
このように本実施形態によれば、AP2（１７）を介して通信を行なうMT3（端末１９）宛の下りフレームがAP1（１３）宛の下りフレームによって妨害を受けることなく、良好に通信でき、AP1（１６）宛の下りフレームを送信する場合と比べてシステムとしてのスループットを向上させることができる。
【００９２】
なお、(Ｃ)(Ｄ)は、MT1（端末１６）の通信状態が劣化したことを例に記述しているが、AP1（１３）では端末毎ではなくMT1（端末１６），MT2（端末１５）トータルの再送回数でAP1（１３）全体としての電波状態を管理している。
【００９３】
また、(Ｋ)は、AP制御装置１２のパケット蓄積部２５がAP別にキューを持っていて優先制御を行なう機構を備えるような場合には、一定時間の間AP1（１３）宛キューに蓄積されているパケットの送信優先度を下げることによっても同様の効果が得られる。
【産業上の利用可能性】
【００９４】
本発明のアクセスポイント、アクセスポイント制御装置および無線LANシステムは、端末毎あるいはアクセスポイント毎の電波状態に応じて送受信量を制御するので、電波状態の良好でない端末が存在する場合でも、電波状態の良好な端末と優先的に通信することができ、ネットワークシステム全体としてスループットを向上させることができるという効果を有し、ネットワークのスループット向上技術として有用である。
【図面の簡単な説明】
【００９５】
【図１】本発明の第１の実施形態を説明するためのネットワークシステムを示す図
【図２】第１の実施形態におけるAP制御装置の概略構成を示す図
【図３】第１の実施形態におけるAPの概略構成を示す図
【図４】第１の実施形態における優先制御を行なう場合のシーケンスを示す図
【図５】本発明の第２の実施形態を説明するためのネットワークシステムを示す図
【図６】第2の実施形態における優先制御を行なう場合のシーケンスを示す図
【図７】第2の実施形態における優先制御を行なう場合のシーケンスを示す図
【図８】従来のネットワークシステムを示す図
【図９】従来の帯域制御装置を示す図
【図１０】AP制御装置の輻輳を説明するための図
【図１１】APの輻輳を説明するための図
【符号の説明】
【００９６】
１１，８４  通信ネットワーク
１２，８３  AP制御装置
１３，１１３  AP1
１５，１１５  MT2
１６，１１６  MT1
１７，１１７  AP2
１９，１１９  MT3
２０，１２０  AP3
２５，３２  パケット蓄積部
２６  送信制御部
２７  通信部
３１  有線通信部
３３  無線送信制御部
３４  電波状態通知部
３５  無線通信部
１０１  パケット信号入力
１０２  輻輳検出回路
１０３  管理登録テーブル
１０４  トラヒック制御回路
１０５  帯域制御回路
１０６  輻輳検出手段
１０７  トラヒック制御手段
１０９  パケット信号出力
【図１】
2006115156.tif 000003
【図２】
2006115156.tif 000004
【図３】
2006115156.tif 000005
【図４】
2006115156.tif 000006
【図５】
2006115156.tif 000007
【図６】
2006115156.tif 000008
【図７】
2006115156.tif 000009
【図８】
2006115156.tif 000010
【図９】
2006115156.tif 000011
【図１０】
2006115156.tif 000012
【図１１】
2006115156.tif 000013